(57)【要約】      （修正有）【課題】バリアフリーを重視した扉を開けやすい扉錠を提供する。【解決手段】反転ラッチに係脱するように錠箱に軸支された反転ラッチ用係止片と、扉に設けられかつ反転ラッチ用係止片の係止状態を解くための操作部材７とを備えた扉錠であって、操作部材は扉の壁面に固定された左右一対の脚部７ａと、これらの脚部に略水平状態に連続する握り部と、握り部の切欠表面９に対して所要空間を有して常時浮くように付勢手段によって付勢され、かつ左右の両端部が脚部の対向内面部に回転自在に軸支された水平回転式操作子８と、脚部の内部に配設されていると共に水平回転式操作子の回転力によって回転するカム１２と、カムに基端部が取付けられていると共にカムと共働回転する水平回転軸１３とから成り、水平回転式操作子の外周面を指或いは手の平で押し込むように押圧操作すると、水平回転軸の回転力は反転ラッチ用係止片を係止解除方向へ回転させる。【選択図】図７
2016191231.tif 000002
【特許請求の範囲】
【請求項１】
少なくとも錠箱に設けられた反転ラッチと、該反転ラッチを前記錠箱のフロントから突出する方向に付勢する反転ラッチ用付勢バネと、前記反転ラッチに係脱するように錠箱に軸支された反転ラッチ用係止片と、扉に設けられかつ前記反転ラッチ用係止片の係止状態を解くための操作部材とを備えた扉錠であって、前記操作部材は、前記扉の壁面に固定された左右一対の脚部と、これらの脚部に略水平状態に連続する握り部と、該握り部の切欠表面に対して所要空間を有して常時浮くように付勢手段によって付勢され、かつ左右の両端部が前記脚部の対向内面部に回転自在に軸支された水平回転式操作子と、前記脚部の内部に配設されていると共に前記水平回転式操作子の回転力によって回転するカムと、前記カムに基端部が取付けられていると共に該カムと共働回転する水平回転軸とから成り、前記水平回転式操作子の表面を指或いは手の平で押し込むように押圧操作すると、前記水平回転軸の回転力は、前記反転ラッチ用係止片を係止解除方向へ回転させる作用となる扉錠。
【請求項２】
請求項１に於いて、水平回転軸の基端部の反対側に相当する他端部は、反転ラッチ用係止片を係止解除方向へ回すハンドルカムに取付けられていることを特徴とする扉錠。
【請求項３】
請求項１に於いて、水平回転軸の基端部の反対側に相当する他端部は、反転ラッチ用係止片に直接係合していることを特徴とする扉錠。
【請求項４】
請求項１に於いて、水平回転式操作子は、平面視横長略長方形状に形成され、その外周面の形状の輪郭線は、左右の側面から見ると湾曲状に形成されていることを特徴とする扉錠。
【請求項５】
請求項１に於いて、水平回転式操作子は、平面視横長略長方形状の板状体に形成され、また左右の側面視、指或いは手の平が当たる表面が略傾斜状に形成され、一方、握り部の切欠表面又は脚部の対向内面部のいずれかに水平回転式操作子用のストッパが形成されていることを特徴とする扉錠。
【発明の詳細な説明】
【技術分野】
【０００１】
本発明は、バリアフリーを重視し、扉を開けやすい建具用の扉錠に関する。
【背景技術】
【０００２】
特許文献１は、「扉８の一部に片持ち梁形の握り１を固定して、手足の不自由な人の手摺りとする一方、この握り本体２の一部に手のひらによって押圧操作可能な操作レバー１０を設けて、この操作レバー１０によりラッチボルト１６を操作できるようにした扉錠」である（符号は特許文献１のもの）。
【０００３】
この扉錠はバリアフリーを重視したものである点で、本発明と同様であるが、ラッチボルト１６を後退させるために握り１の操作レバー１０を押し込むものである。付言すると、本発明の如く、反転ラッチを係止する係止片の係止状態（ロック状態）を解くものではない。
【０００４】
また特許文献１には、カムとテコ方式の第１実施形態（図２）、トグル式機構の第２実施形態（図３）、ラックとピニオンを含む歯車方式の第３実施形態（図４）等が記載されているが、これらの各実施形態は、それぞれ操作レバー１０の操作力によりラッチボルト１６をラッチバネのバネ力に抗して錠箱内に後退させるので、お年寄りや手の不自由な人といえども、それなりの握力が必要であり、手の操作力を「倍力機構」に変換する各部材の組み合わせが複雑になるという問題点があった。加えて、操作レバー１０の軸支１１された側の上面を押圧操作すると、軸支１１側の反対側に相当する操作レバー１０の先端部の押圧面１２が十分に握り部内に入り込まないので、押圧操作をやり直さなければならないという問題点があった。そこで、このような問題点を解決するために本発明が出現した。
【先行技術文献】
【特許文献】
【０００５】
【特許文献１】特開平１１−５０７０６号
【発明の概要】
【発明が解決しようとする課題】
【０００６】
本願発明の主たる目的は、簡単な構成により、水平回転式操作子を指或いは手の平で押し込むように押圧操作すると、反転ラッチ用係止片を係止解除方向へ回転させることができると共に、該水平回転式操作子を軽く押さえながら操作部材を押す或いは引くと扉が開く扉錠を提案することである。また水平回転式操作子の外周面又は上面の自由端部側のどの部位を押圧操作しても水平回転することである。
【課題を解決するための手段】
【０００７】
本発明の扉錠は、少なくとも錠箱に設けられた反転ラッチと、該反転ラッチを前記錠箱のフロントから突出する方向に付勢する反転ラッチ用付勢バネと、前記反転ラッチに係脱するように錠箱に軸支された反転ラッチ用係止片と、扉に設けられかつ前記反転ラッチ用係止片の係止状態を解くための操作部材とを備えた扉錠であって、前記操作部材は、前記扉の壁面に固定された左右一対の脚部と、これらの脚部に略水平状態に連続する握り部と、該握り部の切欠表面に対して所要空間を有して常時浮くように付勢手段によって付勢され、かつ左右の両端部が前記脚部の対向内面部に回転自在に軸支された水平回転式操作子と、前記脚部の内部に配設されていると共に前記水平回転式操作子の回転力によって回転するカムと、前記カムに基端部が取付けられていると共に該カムと共働回転する水平回転軸とから成り、前記水平回転式操作子の表面を指或いは手の平で押し込むように押圧操作すると、前記水平回転軸の回転力は、前記反転ラッチ用係止片を係止解除方向へ回転させる作用となることを特徴とする。  
【発明の効果】
【０００８】
（ａ）請求項１に記載の発明は、簡単な構成を採用するとこにより、水平回転式操作子を指或いは手の平で押し込むように押圧操作すると、反転ラッチ用係止片を係止解除方向へ回転させることができると共に、該水平回転式操作子を軽く押さえながら操作部材を押す或いは引くと扉が開く。したがって、バリアフリーを重視した扉を開けやすい扉錠である。また水平回転式操作子の外周面又は上面の自由端部側のどの部位を押圧操作しても水平回転する。
（ｂ）請求項２に記載の発明は、やや部品点数（ハンドルカム）が増えるものの、前記（ａ）の効果を確実に得ることができる。
（ｃ）請求項３に記載の発明は、より簡単な構成により、主たる目的を達成することができる。また、水平回転軸の他端部を反転ラッチ用係止片に直接係合させることにより、操作部材の取付け位置が、扉の自由端部側に配設することができる。したがって、開扉時、操作部材の押圧操作力が有効的に発揮する（扉が容易に開く）。
（ｄ）請求項４に記載の発明は、水平回転式操作子が平面視横長略長方形状であり、しかも、外周面が湾曲状に形成されているので、手の平が当たる面積が増えると共に、前記外周面が手の平にフイットするので、操作性が良い。
（ｅ）請求項５に記載の発明は、水平回転式操作子の外端部に相当する長辺部が握り部の切欠表面から著しく離れない。したがって、美観或いは外観を損なわない効果がある。また、板状体の手の平の当たる表面が略フラットの場合には、第１実施形態と略同様の効果を期待することができる。
【図面の簡単な説明】
【０００９】
図１乃至図９は本発明の第１実施形態を示す各説明図、図１０及び図１１は本発明の第２実施形態を示す各説明図。図１２乃至図１４は本発明の第３実施形態を示す各説明図。
【図１】使用状態の環境を示す概略説明図（扉の内壁面に設けた操作部材を操作する）。
【図２】扉の自由端部に組み込まれた錠本体（例えばラッチ錠）を示す説明図。
【図３】主要部の平面視からの説明図。
【図４】図３に於ける正面視からの説明図。
【図５】図４に於ける右側面視からの説明図。
【図６】右側面視からの一部概略断面説明図。
【図７】操作部材及びカム機構（カム等）の分解斜視図。
【図８】操作子を押圧操作した説明図。
【図９】水平回転軸の回転力が反転ラッチ用係止片を係止解除方向へ回転させる作用となる説明図。
【図１０】第２実施形態を示す図３と同様の説明図。
【図１１】第２実施形態を示す図２と同様の説明図。
【図１２】第３実施形態を示す図４と同様の正面視からの説明図。
【図１３】図６と同様の説明図。
【図１４】操作子を押圧操作した説明図。
【発明を実施するための最良の形態】
【００１０】
図１乃至図９は本発明の第１実施形態の各説明図である。図１は使用状態の環境を示す概略説明図で、室内側から人の手の平で扉１の内壁面１ａに略水平状態に配設された操作部材７の握り部７ｂに右手Ｈを掛けようとする概略説明図である。扉１の自由端面からは後述する反転ラッチ３の先端部が突出している。
【００１１】
まず図１に於いて、１は図示しない基端部が複数の蝶番を介して扉枠に回転自在に取付けられた開き扉（以下、「扉」という。）である。２は扉１の自由端部の木口に組み込まれた錠箱、３は錠箱２に設けられその先端部がフロント４から突出する反転ラッチ、５は扉１の内壁面１ａの反転ラッチ側に固定された一方の取付け台座（図面上では左）、６は一方の取付け台座５に対して人の手Ｈを十分に入れることができる間隔を有して前記扉１の内壁面１ａに固定された他方の取付け台座（図面上では右）、７は左右一対の軸部に相当する脚部７ａ、７ａが前記取付け台座５、６にそれぞれ固定的に取付けられ、かつ、前記左右の脚部７ａ、７ａに連続する握り部７ｂが扉１の内壁面１ａに水平状態に対向する横倒れ略コ字形状の操作部材である。
【００１２】
操作部材７は左右一対の取付け台座５、６を介して扉１の内壁面１ａに固定的に配設され、前記握り部７ｂは後述する水平回転式操作子８を備え、また反転ラッチ側の前記脚部７ａの一方はカム機構を構成するカム１２を内装している。さらに、前記一方の脚部７ａは前記カム１２に基端部が一体的に取付けられた長杆状の水平回転軸１３を備え、該長杆状水平回転軸１３の角軸状他端部は、その被係合部（例えばカム片）が一方の取付け台座５、扉１及び錠箱２を貫通して反転ラッチ３の係止片２４の先端部の被係合部（例えば係合長孔）２７に係合する。
【００１３】
次に図２は扉の自由端部に組み込まれた錠本体（例えばラッチ錠）Ｙを示す説明図である。錠本体Ｙは、反転ラッチ３のみを有するいわゆる空錠（実施形態）の他、反転ラッチ３と図示しないデッドボルトの両方を備えるいわゆる玄関錠、また表示手段を付加したいわゆるトイレ用錠などが含まれる。この図２は、便宜上本発明の特定事項に必要な部材だけを図示したものであるから、室外側の操作部材、室外側のシリンダ、合鍵操作によってテールピースと共に回転する作動カム、該作動カムに連動するロック片等を加味しても良い。さらに、実施形態によっては、非接触型の認証手段を含む電気錠を付加しても良い。
【００１４】
さて、図２に於いて、２は錠箱で、この錠箱は扉１の自由端部に内装されている。４は錠箱２のフロントで、錠箱２はフロント４、図示しない複数の固着具を介して扉１の自由端部に固定的に取付けられる。３はフロント４の不番の開口から先端部が常時突出する反転ラッチで、この反転ラッチ３の後端部はコ字状のラッチ支持枠２１に水平状態で回転しながら後退できるように支持されている。反転ラッチ３及びコ字状ラッチ支持枠２１の構成は周知事項なので、その詳細構造の説明は割愛する。
【００１５】
２２は錠箱２の略中央部に設けられかつ図示しない案内手段に案内される水平スライド片で、この水平スライド片２２の折り曲げ先端部とコ字状ラッチ支持枠２１の垂直支持壁の間に反転ラッチ用付勢バネ２３が水平状態に配設されている。したがって、開扉時、反転ラッチ３は反転ラッチ用付勢バネ２３のバネ力に抗して後退動可能である。
【００１６】
２５はコ字状ラッチ支持枠２１の垂直支持壁の後方でかつ水平スライド片２２の下方に設けられた固定支軸で、この固定支軸２５に親指形状の係止片２４の後端部が軸支されている。２６は前記固定支軸１５に中央部が巻装され、一端部がラッチ支持枠２１の垂直支持壁に圧接すると共に、他端部が前記係止片２４の後端部のバネ端支持部に支持された係止片用付勢バネで、該係止片用付勢バネ２６は係止片２４の先端部が反転ラッチ３の後端部を係止する方向に常時付勢している。そして、実施形態では、前記係止片２４の先端部に後述する水平回転軸の係合部１７（例えばカム）が係合する被係合部（例えば係合長孔）２７が設けられている。
【００１７】
以上、図１及び図２を参照にすると、本発明の扉錠Ｘは、少なくとも錠箱２に設けられた反転ラッチ３と、該反転ラッチを前記錠箱のフロント４から突出する方向に付勢する反転ラッチ用付勢バネ２３と、前記反転ラッチ３に係脱するように錠箱に軸支された反転ラッチ用係止片２４と、扉１に設けられかつ前記反転ラッチ用係止片の係止状態を解くための操作部材７とを備えている。
【００１８】
そして、前記操作部材７は、前記扉の壁面１ａに固定された一方と他方の取付け台座５，６にそれぞれ固定された左右一対の脚部７ａ、７ａと、これらの脚部に略水平状態に連続する握り部７ｂと、該握り部の切欠表面９に対して所要空間を有して常時浮くように付勢手段（例えば係止片用付勢バネ、握り部に内装された付勢バネ、水平回転式操作子に設けられた圧縮バネなど）によって付勢され、かつ左右の両端部が前記脚部７ａ、７ａの対向内面部に回転自在に軸支された水平回転式操作子８と、前記脚部の内部に配設されていると共に前記水平回転式操作子の回転力によって回転するカム１２と、前記カムに基端部が取付けられていると共に該カムと共働回転する水平回転軸とから成る。
【００１９】
次に図３は主要部の平面視からの説明図で、一部を切欠いている。実施形態では水平回転式操作子８の表面が、平面視横長略長方形状の板状体（帯状体）に見えている。また図４は図３に於ける正面視からの説明図で、前記水平回転式操作子８の表面は平面視と同様に横長略長方形状の板状体（帯状体）に見えている。ただ両者の幅を比較すると、正面視の幅の方が平面視の幅よりも小さい。また、外端部に相当する水平回転式操作子８の長辺状縁部と握り部の切欠表面９の段差部を構成する長辺下端部９ａの水平略細長状上面との間には多少の間隙１０がある。実施形態では、前記水平略細長状上面はやや傾斜面であり、水平回転式操作子８の外端部８ａの下端面を受けるトスッパの役割をする。そして、操作部材７の反転ラッチが位置する側の一方の握り部７ａの中には、カム機構を構成するカム１２が内装され、該カム１２の角穴には、水平回転軸１３の基端部１３ａが取付けられている。また図５は図４に於ける右側面視からの説明図である。
【００２０】
さらに、図６は右側面視からの一部概略断面説明図、図７は操作部材及びカム機構（カム等）の分解斜視図である。ここで、例えば図７を参照にして、操作部材７、カム１２を含むカム機構及び付勢手段１１の具体的構成を説明する。
この図７に於いて、図面の上方に操作部材７の本体が描かれている。この本体そのものは、いわゆる固定ハンドルで、前述したように、例えば扉１の内壁面１ａに水平状態に固定されている（図１参照）。
【００２１】
しかして、本体の左右の脚部７ａの対向内面部の内側寄りの部位には、小さな円形軸穴１４が一対形成されている。また握り部７ｂの略上端部側は大きく切欠され、その切欠表面９は単数又は複数（実施形態）の段差状に形成されている（図６参照）。この切欠表面９に便宜上符号を付すると、９ａは前述した長辺下端部、９ｂは前記長辺下端部よりも上方に位置するやや幅広長辺上段部、９ｃは前記幅広長辺上段部に続く横長状嵌合凹所、９ｄは前記横長状嵌合凹所に続く内側の長辺上端部で、前記長辺上端部９ｄの上面は、図６で示すように、前記幅広長辺上段部９ｂの上面よりも多少低いものの、前記外側の長辺下端部９ａよりも高い。実施形態では、水平回転式操作子８の内端部８ｂに沿って内周面に一連或いは非一連の突起状軸受け部１５が設けられ、該突起状軸受け部１５は前記横長状嵌合凹所９ｃに遊嵌合する。そして、突起状軸受け部１５の左右端面には、水平回転式操作子８の左右端面からそれぞれ突出する左右一対の水平支軸１６が設けられている。
【００２２】
次に水平回転式操作子８用の単数又は複数の付勢手段１１は、例えばねじりバネ（圧縮バネ）が採用され、該ねじりバネ１１は前記水平支軸１６の適宜箇所にその中央部が巻装され、一方のバネ腕１１ａは水平回転式操作子８の肉厚状内面に形成した不番のバネ端受け溝に支持され、一方、他方のバネ腕１１ｂは握り部７ｂの横長状嵌合凹所９ｃの適宜箇所に形成した不番のバネ端受け溝に支持されている。この圧縮バネ１１のバネ力は、水平回転式操作子８が握り部７ｂの切欠表面９に対して所要空間を有して常時浮くように付勢するものであるから、押圧操作前の常態では、水平回転式操作子８の内端部８ｂの下端面は、ストッパ機能を有する長辺上端部９ｄの上面に支持さされている。
【００２３】
次に、動力を伝達するカム機構について説明する。カム機構は、水平回転軸１３（反転ラッチ３）側に配設されている。実施形態では水平回転軸１３側の受け部を有するカム１２と、該カム１２に摺接する水平回転式操作子８側の押圧部１７とから成り、前記カム１２は一方の脚部７ａの外端部に内装され、水平回転軸１３の基端部１３ａが嵌入する非楕円形状の軸孔を有する外周輪郭が略円形の嵌合部１２ａと、該嵌合部１２ａが外周面の一部から半径外方向に延びる指状（実施形態）或いはアーム状の受け部１２ｂとを有し、前記受け部１２ｂの上方の傾斜状受け面は、水平回転式操作子８の外端部８ａの左端面（一端面）から突設する短杆状押圧部１７の傾斜状押圧面と係合している。そして、符号８ｃは操作者の手の指或いは手の平が当たる表面である。
【００２４】
次に図８は、図４或いは図６の初期状態に於いて、水平回転式操作子８を、例えば手の平で押圧操作した場合の説明図で、該水平回転式操作子８は左右の水平支軸１６に支持された状態で、その外端部８ａが握り部７ｂの切欠表面９の長辺下端部９ａに当るまで押し込まれる。そうすると、水平回転式操作子８の短杆状押圧部１７に押されて指状カム１２が時計方向に所定量回転する。
【００２５】
図９は水平回転軸１３の角軸状他端部１３ｂに一体的に設けられた係合部としてのカム片１７が回転することにより、前記カム片１７と係合する被係合部（係合長孔）２７を有する反転ラッチ用係止片２４が、係止解除方向へ固定支軸２５を支点にして回転したことを示す。
【００２６】
したがって、第１実施形態の扉錠Ｘは、水平回転軸１３の角軸状他端部は、反転ラッチ用係止片２４に直接係合しているので、水平回転式操作子８を指或いは手の平で押し込むように押圧操作すると、水平回転式操作子８の回転力は、カム１２を有するカム機構を介して水平回転軸１３に伝わり、共働回転する該水平回転軸１３の回転力は、反転ラッチ用係止片２４を係止解除方向へ回転させる作用となる。その他本発明の特定要件に関係しない細部的事項の説明は割愛する。
【実施例】
【００２７】
実施形態の水平回転式操作子８の形状、大きさ、長さ、取付け位置、数等は、発明の課題を逸脱しない範囲で任意に設計変更し得る事項である。また水平回転式操作子８に滑り止め用の細かな溝やローレット模様を形成しても良い。また水平回転式操作子８の内面や握り部７ｂの切欠表面のスットパ機能を有する上面又は及び適宜箇所にゴム等の弾性体を一体に設けても良い。さらに、第１実施形態では、室内側から反転ラッチの係止状態を解くための操作部材７を押す場合について説明したが、同一構成部材を逆パターンで採用することにより、室外側から反転ラッチの係止状態を解くための操作部材７を引く場合にも適合する（図面省略）。
【００２８】
次に、図１０及び至図１１を参照にして、本発明の他の実施形態を説明する。なお、第２実施形態等の説明に当って、第１実施形態と同一の部分には同一又は同様の符号を付して重複する説明を割愛する。
【００２９】
図１０及び至図１１は第２実施形態であり、この第２実施形態が第１実施形態と主に異なる点は、水平回転軸１３の端部を第１実施形態の如く反転ラッチ用係止片２４に連結するのではなく、普通一般のラッチ錠に見られるように、ハンドルカム３１の角軸穴３２に連結することである。したがって、この第２実施形態は、水平回転軸１３の基端部にカム１２が一体的に連結され等の構成は第１実施形態と同じであるが、前記水平回転軸１３の他端部（角軸部）は、反転ラッチ用係止片２４を係止解除方向へ回すハンドルカム３１に取付けられている。このように構成しても、本発明の課題を達成することができる。
【００３０】
最後に、図１２乃至図１４は本発明の第３実施形態を示す各説明図である。この第３実施形態が第１実施形態と主に異なる事項は、「（ａ）水平回転式操作子８Ａは、平面視横長略長方形状の板状体に形成され、また左右の側面視、指或いは手の平が当たる表面８ｃが略傾斜状に形成され、一方、握り部の切欠表面又は脚部の対向内面部のいずれかに水平回転式操作子用のストッパが形成されている点」である。この実施形態の場合、外観を損ねないように、指或いは手の平が当たる表面８ｃに連続する下端部８ａ及び上端部８ｃの表面は、弧状或いは半円弧状に形成するのが望ましい。
【００３１】
その他、（ｂ）幅広長辺上段部９ｂが傾斜状に形成されている点、（ｃ）また、握り部７ｂの切欠表面９又は脚部７ａ、７ａの対向内面部のいずれかに単数又は複数のストッパ１８を形成し、水平回転式操作子８Ａが該ストッパ１８に受け止められるようにしても良い。（ｄ）押圧操作時及び常態時、脚部の対向内面部に形成された左右一対のストッパ１８，１８に水平回転式操作子８Ａの外端部８ａ及び内端部８ｂが受け止められるようにしても良い。なお、該（ｄ）の構成は第１実施形態に適用しても良い。このように、細部的事項を設計変更しても、本発明の主たる目的を達成することができる。
【産業上の利用可能性】
【００３２】
本発明は、扉を開けやすい扉錠として利用することができる。
【符号の説明】
【００３３】
Ｘ…扉錠、Ｙ…錠本体、
１…扉、１ａ…扉の内壁面、
２…錠箱、
３…反転ラッチ、
５…一方の取付け台座、
６…他方の取付け台座、
７…操作部材、
７ａ…左右一対の脚部、
７ｂ…握り部、
８、８Ａ…水平回転式操作子、８ａ…外端部、８ｂ…内端部、
９…切欠表面、
１０…間隙、
１１…付勢手段、
１２…カム、
１３…水平回転軸、
１３ａ…水平回転軸の基端部、
１３ｂ…水平回転軸の他端部、
１４…円形軸穴、
１５…軸受け部、
１６…水平支軸、
１７…押圧部、
１８…ストッパ、
２１…反転ラッチ用支持枠、
２３…反転ラッチ用付勢バネ、
２４…反転ラッチ用係止片、
２５…係止片用固定支軸、
２６…係止片用付勢バネ、
３１…ハンドルカム、３２…角軸穴。
【図１】
2016191231.tif 000003
【図２】
2016191231.tif 000004
【図３】
2016191231.tif 000005
【図４】
2016191231.tif 000006
【図５】
2016191231.tif 000007
【図６】
2016191231.tif 000008
【図７】
2016191231.tif 000009
【図８】
2016191231.tif 000010
【図９】
2016191231.tif 000011
【図１０】
2016191231.tif 000012
【図１１】
2016191231.tif 000013
【図１２】
2016191231.tif 000014
【図１３】
2016191231.tif 000015
【図１４】
2016191231.tif 000016